(57)【要約】【課題】不具合の発生したＬＥＤユニットの保守が容易な映像表示装置を提供すること。【解決手段】表示用ＬＥＤ４０を複数搭載し、多数配列されて大型の映像表示盤を構成するＬＥＤユニット３０と、ＬＥＤユニットを制御する映像制御部を有する映像表示装置において、ＬＥＤユニットは、搭載した表示用ＬＥＤが故障した場合に該ＬＥＤユニットが故障したＬＥＤユニットであることを識別させる識別用ＬＥＤ５０を、表示用ＬＥＤが搭載された表示面以外の部分に設け、映像制御部は、故障したＬＥＤユニットの識別用ＬＥＤを発光させる。【選択図】図４
2015161684.tif 000002
【特許請求の範囲】
【請求項１】
表示用ＬＥＤを複数搭載し、多数配列されて大型の映像表示盤を構成するＬＥＤユニットと、前記ＬＥＤユニットを制御する映像制御部を有する映像表示装置において、
前記ＬＥＤユニットは、前記搭載した表示用ＬＥＤが故障した場合に該ＬＥＤユニットが故障したＬＥＤユニットであることを識別させる識別用ＬＥＤを、前記表示用ＬＥＤが搭載された表示面以外の部分に設け、
前記映像制御部は、前記故障したＬＥＤユニットの前記識別用ＬＥＤを発光させる
ことを特徴とする映像表示装置。
【請求項２】
前記ＬＥＤユニットは、前記識別用ＬＥＤとして、前記搭載された表示用ＬＥＤの各発光色と同色のＬＥＤを各発光色につき少なくとも１つ以上設ける
ことを特徴とする請求項１に記載の映像表示装置。
【請求項３】
前記映像制御部は、前記故障した表示用ＬＥＤの発光色と同色の前記識別用ＬＥＤを発光させる
ことを特徴とする請求項２に記載の映像表示装置。
【請求項４】
前記ＬＥＤユニットは、前記識別用ＬＥＤとして、前記故障した表示用ＬＥＤと交換可能なＬＥＤを設ける
ことを特徴とする請求項１乃至３のいずれか１項に記載の映像表示装置。
【請求項５】
表示用ＬＥＤを複数搭載し多数配列されて大型の映像表示盤を構成するＬＥＤユニットと、前記ＬＥＤユニットを駆動する映像制御部と、前記表示用ＬＥＤの故障を監視する監視装置を備える映像システムにおいて、
前記ＬＥＤユニットは、前記搭載した表示用ＬＥＤが故障した場合に該ＬＥＤユニットが故障したＬＥＤユニットであることを識別させる識別用ＬＥＤを、前記表示用ＬＥＤが搭載された表示面以外の部分に設け、
前記監視装置は、前記表示用ＬＥＤの故障検知を行うよう前記映像制御部に指示し、
前記映像制御部は、前記監視装置からの指示に基づき前記映像表示盤の中で前記故障した前記表示用ＬＥＤの検知を行い、故障した前記表示用ＬＥＤの属するＬＥＤユニットを特定し、前記故障したＬＥＤユニットの情報を前記監視装置に通知し、前記故障したＬＥＤユニットの前記識別用ＬＥＤを発光させる
ことを特徴とする映像システム。
【請求項６】
前記ＬＥＤユニットは、前記識別用ＬＥＤとして、前記搭載された表示用ＬＥＤの各発光色と同色のＬＥＤを各発光色につき少なくとも１つ以上設け、
前記映像制御部は、前記故障した表示用ＬＥＤの発光色と同色の前記識別用ＬＥＤを発光させる
ことを特徴とする請求項５に記載の映像システム。
【請求項７】
前記映像制御部は、前記故障したＬＥＤの発光色と同色の前記識別用ＬＥＤが交換用に既に使用されて搭載されていない場合には、前記ＬＥＤユニットに搭載された異なる発光色の前記識別用ＬＥＤを点滅発光させる
ことを特徴とする請求項６に記載の映像システム。
【請求項８】
前記映像制御部は、前記故障したＬＥＤユニットの前記識別用ＬＥＤが交換用に既に使用されて搭載されていない場合には、前記故障したＬＥＤユニットの近傍に配列された他の前記ＬＥＤユニットに搭載された前記識別用ＬＥＤを発光させる
ことを特徴とする請求項５に記載の映像システム。
【請求項９】
表示用ＬＥＤを複数搭載し、多数配列されて大型の映像表示盤を構成するＬＥＤユニットにおいて、
前記表示用ＬＥＤの故障したＬＥＤユニットを他のＬＥＤユニットと識別させるための識別用ＬＥＤを、前記表示用ＬＥＤが配置された表示面以外の部分に設けた
ことを特徴とするＬＥＤユニット。
【発明の詳細な説明】
【技術分野】
【０００１】
本発明は、ＬＥＤユニットが複数配列されて構成される映像表示装置に関する。
【背景技術】
【０００２】
ＬＥＤを利用した大型の映像表示装置は、スポーツ競技場や公営競技場等様々な場所に設置される。公営競技場（例えば競馬場）に設置される映像表示装置には、出走馬表示、オッズ表示やレース中継などがメインに表示される。画面には出走馬・オッズ全画面、レース中継全画面や出走馬画面、オッズ画面に一部レース中継画面を合成するなど様々な組み合わせがあるが、数字情報特にオッズ情報は重要な情報であるので、画素の一部が故障して数字が正確に表示できなくなる事態は、避けなければならない。
【０００３】
そのため、大型の映像表示装置では、電源故障やＬＥＤユニット断線故障などに対するアラーム情報を常時監視して、故障時に素早い対応を取るようにしている。例えば、ＬＥＤの球切れが発生した場合に、表示内容を変化させて、球切れ発生を通知する表示システムが提案されている（特許文献１）。
【先行技術文献】
【特許文献】
【０００４】
【特許文献１】特開２００６−１４５８２６号公報
【発明の概要】
【発明が解決しようとする課題】
【０００５】
ＬＥＤの電流値等を監視することで、球切れの発生したＬＥＤユニットを検出し特定することは可能である。そして、修理するためには、保守員が、球切れのＬＥＤユニットを映像表示装置から取り外す必要がある。しかし、大型の映像表示装置は多数のＬＥＤユニットが配列して構成されているので、例えば、監視装置によって球切れのＬＥＤユニットの番号が表示されても、保守員が多数のＬＥＤユニットの中から球切れのＬＥＤユニットを実際に探すのは容易ではない。また、映像表示装置の運用中に球切れのＬＥＤユニットを短時間で交換するよう保守員に指示が出ても、保守員は１本隣のＬＥＤユニットと間違えて交換したりしないよう注意しながら作業するため、ＬＥＤユニット交換作業には時間がかかってしまうという問題があった。
【０００６】
また、ＬＥＤの球切れに関する他の課題として、断線したＬＥＤを他のＬＥＤに交換すると、交換した部分だけ、色が微妙に変わり目立ってしまうという問題も起きる。ＬＥＤは同じ仕様のものでも製造するロットごとに、微妙ではあるが人間の目で判別できる程度の色の差が出る場合があるからである。
【０００７】
本願発明は、上記課題に鑑み、不具合の発生したＬＥＤユニットの保守が容易な映像表示装置を提供することを目的とする。
【課題を解決するための手段】
【０００８】
上記目的を達成するために、表示用ＬＥＤを複数搭載し、多数配列されて大型の映像表示盤を構成するＬＥＤユニットと、前記ＬＥＤユニットを制御する映像制御部を有する映像表示装置において、前記ＬＥＤユニットは、前記搭載した表示用ＬＥＤが故障した場合に該ＬＥＤユニットが故障したＬＥＤユニットであることを識別させる識別用ＬＥＤを、前記表示用ＬＥＤが搭載された表示面以外の部分に設け、前記映像制御部は、前記故障したＬＥＤユニットの前記識別用ＬＥＤを発光させる。
【発明の効果】
【０００９】
本発明によれば、不具合の発生したＬＥＤユニットの保守が容易な映像表示装置を提供することができる。
【図面の簡単な説明】
【００１０】
【図１】ＬＥＤユニットが多数配列されて構成される大型の映像表示盤の外観例である。
【図２】映像表示盤を構成するＬＥＤユニットの一部を抽出して示す図である。
【図３】ＤＬＵの具体的な形状例を示す図である。
【図４】ＤＬＵの拡大図である。
【図５】ＤＬＵブロックを背面から見た図である。
【図６】映像システム全体を示すシステム図である。
【図７】ＤＬＵブロックの構成を示す図である。
【図８】断線検知処理の手順を説明するフローチャートである。
【図９】断線したＤＬＵで、修理用に識別用ＬＥＤが外された状態を示す図である。
【図１０】映像制御部により指示される識別用ＬＥＤの他の点灯例を示す図である。
【発明を実施するための形態】
【００１１】
以下、図面に従って本発明の実施形態を説明する。図１は、ＬＥＤユニットが多数配列されて構成される大型の映像表示盤１０の外観例である。映像表示盤１０は、競馬場等の公営競技場やスポーツスタジアム、あるいは屋内の大型展示会場等に設置される。図１に示す映像表示盤１０は、競馬場等に設置されて、画面にオッズ情報が表示された例である。オッズとは、競馬・競輪などの概算配当率あるいは予想配当で、賭け金に対する倍率で示される。以下では、競馬場に設置される映像表示盤１０を例にして説明する。
【００１２】
図２は、図１のＳの部分を拡大したもので、映像表示盤１０を構成するＬＥＤユニットの一部を抽出して示す図である。図２の左側は、ＬＥＤユニットの一部の左側面形状である。ＬＥＤユニットには、画素が縦横（例えば、１６×１６）に配列されたマトリックスタイプと、画素がライン状（縦１６画素×横１画素）に画素が配列されたラインタイプがあるが、本実施形態では、ラインタイプを例にして説明する。また、このラインタイプのＬＥＤユニットを、ＤＬＵ（ｄｏｔ ｌｉｎｅ ｕｎｉｔ）と呼ぶ。
【００１３】
図２では、ＤＬＵ３０が縦に２個、横に３２個並んだ状態を示す。縦長のＤＬＵを横に１６個並べたものをまとめて１つのブロックにし、これをＤＬＵブロック２０と呼ぶ。図２は、ＤＬＵブロック２０が縦横２×２で並んだ状態である。
【００１４】
ＤＬＵ３０間のピッチＰは、表示盤の用途やサイズに応じて様々である。例えば、Ｐ＝１０ｍｍ、２０ｍｍや６２．５ｍｍなどがある。ＤＬＵ間のピッチＰが広くなると、画像として認識するためには一定の視認距離が必要になる。ここでは、Ｐ＝６２．５ｍｍ、縦の長さＬは、Ｌ＝１９９６ｍｍである。
【００１５】
図３は、ＤＬＵ３０の具体的な形状例を示す図である。ＤＬＵ３０は、断面が略正方形で、細長い形状である。図２ではＤＬＵ３０が縦の状態であったが、図３ではＤＬＵ３０を横にした状態で示す。図３（Ａ）は、ＤＬＵ３０の画像の表示面３０ｆを示す。図３（Ｂ）は、ＤＬＵ３０の側面を示す。図３（Ｃ）は、ＤＬＵ３０の背面３０ｒを示す。
【００１６】
ＤＬＵ３０の表示面３０ｆには、内部に表示用ＬＥＤが複数配置された画素３５が、長手方向に沿って一定間隔で１６個並べられる。画素３５は、表示される画像の最小単位である。
【００１７】
ＤＬＵ３０の背面３０ｒには、ＤＬＵ３０をフレームに取付けるためのネジ孔や制御基板との接続のためのコネクタ等が設けられる。また、図３（Ｃ）で見てＤＬＵ３０の背面の右端には、識別用ＬＥＤ５０が設けられる。識別用ＬＥＤ５０は、多数のＤＬＵ３０の列の中から、保守員が、表示用ＬＥＤの故障したＤＬＵ３０を容易に識別するための目安となるものである。
【００１８】
図４は、ＤＬＵ３０の拡大図である。図４は、図３のＤＬＵ３０の破線で囲んだ右端部を拡大した図である。図４（Ｄ）は、ＤＬＵ３０の表示面３０ｆの画素３５を拡大した図である。画素３５における表示用ＬＥＤ４０の構成例を示す図である。画素３５は、上段にＲで示す赤の発光色の表示用ＬＥＤ４０を２個とＧで示す緑の発光色の表示用ＬＥＤ４０を１個、中段にＢで示す青の発光色の表示用ＬＥＤ４０を２個、下段に赤の表示用ＬＥＤ４０を１個と緑の表示用ＬＥＤ４０を２個が、それぞれ並んで構成される。赤緑青の計８個の表示用ＬＥＤ４０への駆動電流やデューティー比等の制御によって、色相や輝度が表現される。なお、各表示用ＬＥＤ４０は、チップタイプあるいはリードタイプいずれであってもよい。
【００１９】
図４（Ｃ）は、ＤＬＵ３０の背面３０ｒに搭載される識別用ＬＥＤ５０例を示す図である。ここでは、表示用ＬＥＤの赤・緑・青の各発光色に対応して、識別用ＬＥＤ５０として、識別用赤ＬＥＤ５０Ｒ、識別用緑ＬＥＤ５０Ｇ識別用及び青ＬＥＤ５０Ｂが、各１個ずつ設けられる。識別用ＬＥＤ５０として、表示用ＬＥＤの各発光色に対応したＬＥＤ素子を設けておくことによって、断線した表示用ＬＥＤ４０の色を明示することができ、かつ識別用ＬＥＤ５０が交換部品（リペアパーツ）ともなる。同一仕様のＬＥＤでも製造ロットによって、視認可能なレベルで微妙な色の差が出ることがあるため、断線したＬＥＤと交換したＬＥＤが異なるロットであると、交換した箇所だけ色が微妙に変わり目立つことがある。表示用ＬＥＤと同一ロットのＬＥＤを識別用ＬＥＤ５０にし、識別用ＬＥＤ５０を交換部品として使用すれば、交換後の色のバラツキ発生を防止することができる。
【００２０】
なお、識別用ＬＥＤ５０は、各色当たり１個ずつ設ける例を示したが、各色２個以上設けるようにしてもよい。ただし、一つのＤＬＵ３０で同時に複数の表示用ＬＥＤ４０が故障する可能性は少ないため、識別用ＬＥＤ５０は１個ずつでも長期間でなければ十分と考える。
【００２１】
また、識別用ＬＥＤ５０の搭載箇所は背面３０ｒには限定されずに、表示用ＬＥＤ４０が搭載された表示面以外の部分であればよい。また、識別用ＬＥＤ５０を表示用ＬＥＤの交換部品として使用する必要がなければ、識別用ＬＥＤ５０は、表示用ＬＥＤと同一種類のＬＥＤである必要はなく、任意のＬＥＤでよい。
【００２２】
図５は、ＤＬＵブロック２０を背面から見た図である。図５（Ａ）に示すように、ＤＬＵ３０が横方向に等間隔で１６個配列される。図５（Ｂ）は、識別用ＬＥＤ５０が設けられたＤＬＵ３０の端部の表示面を拡大した図である。各ＤＬＵ３０の背面３０ｒ下端に識別用ＬＥＤ５０として、識別用赤ＬＥＤ５０Ｒ、識別用緑ＬＥＤ５０Ｇ及び識別用青ＬＥＤ５０Ｂが一列に配置される。
【００２３】
球切れ等の故障が発生すると、保守員は映像表示盤１０の裏に回って、縦横敷き詰めるよう配列されたＤＬＵ３０の中から、故障した1本のＤＬＵ３０を探して外さなければならない。多数のＤＬＵ３０中で、故障したＤＬＵ３０の識別用ＬＥＤ５０だけを発光させることで、保守員は故障したＤＬＵ３０を間違えることなく短時間で探し出すことができる。
【００２４】
図６は、映像システム１全体を示すシステム図である。映像システム１は、映像表示盤１０、映像出力機器１００、映像制御部１１０及び監視装置１２０を有する。映像表示盤１０と映像制御部１１０を合わせて映像表示装置５とも呼ぶ。
【００２５】
映像出力機器１００は、映像表示盤１０に表示される画像情報を映像制御部１１０に提供するものである。映像出力機器１００は、出走馬／オッズ制御ＰＣ、カメラ中継装置、映像配信装置等である。
【００２６】
出走馬／オッズ制御ＰＣは、出走馬やオッズに関する情報から、映像表示盤１０に表示される出走馬リストやオッズ表を作成して、例えば映像信号の規格の一つであるＤＶＩ（Ｄｉｇｉｔａｌ Ｖｉｓｕａｌ Ｉｎｔｅｒｆａｃｅ）規格で映像制御部１１０に出力する。
【００２７】
また、カメラ中継装置は、レース前には馬や場内の様子のカメラ画像、出走後はレース中のカメラ画像を例えばＨＤ−ＳＤＩ（Ｈｉｇｈ Ｄｅｆｉｎｉｔｉｏｎ Ｓｅｒｉａｌ Ｄｉｇｉｔａｌ Ｉｎｔｅｒｆａｃｅ）により映像制御部１１０に出力する。映像配信装置は、コマーシャルあるいは映像表示盤１０に表示させる場内の注意事項等の情報を例えばＨＤ−ＳＤＩにより映像制御部１１０に出力する。
【００２８】
映像制御部１１０は、映像出力機器１００から出力される画像ソースを状況に応じて切り替えあるいは画面で領域を分けて表示する。例えば、出走前にはオッズ情報や馬の様子を表示し、出走後はレース場面を中継し、レース終了後はレース結果や配当金を表示するようにする。
【００２９】
前述のように、映像表示盤１０は、表示用ＬＥＤ４０を複数搭載するＬＥＤユニットであるＤＬＵ３０が、縦横に多数配列されて構成される。映像表示盤１０は、１６個単位のＤＬＵ３０からなるＤＬＵブロック２０を複数結合して構成される。また、各ＤＬＵブロック２０は、各ＤＬＵ３０に属する表示用ＬＥＤ４０及び識別用ＬＥＤ５０を駆動するＤＬＵ回路２５を有する。
【００３０】
映像制御部１１０は、各画像ソースから提供される画像信号を選択あるいはミックスして、映像表示盤１０に表示される画像信号を作成して、各ＤＬＵ回路２５に出力して、ＤＬＵ３０を制御することにより、映像表示盤１０に画像を表示する。
【００３１】
また、映像制御部１１０は、映像表示盤１０で表示用ＬＥＤ４０に故障が発生した場合に、各ＤＬＵ回路２５のＬＥＤ表示信号（素子駆動電流）を検出して、表示用ＬＥＤ４０の故障を検知する。表示用ＬＥＤ４０の故障とは、表示用ＬＥＤ４０の断線または短絡、あるいは、表示用ＬＥＤ４０と基板（またはソケット）との接続部分での断線をいう。なお、故障の原因として表示用ＬＥＤ４０の断線（球切れとも呼ばれる）が多いので、以下では故障をまとめて断線を称す。映像制御部１１０は、断線に関する情報（断線情報）を監視装置１２０に出力する。映像制御部１１０は、例えば、ＰＣ（ｐｅｒｓｏｎａｌ ｃｏｍｐｕｔｅｒ）であってメモリに記憶された制御プログラムを読込んだＣＰＵによって処理が実行される。
【００３２】
監視装置１２０は、映像表示盤１０を監視するもので、映像表示盤１０の電源故障、通信異常、温度異常、表示用ＬＥＤ４０の断線等を検知して、アラームを発する。監視装置１２０は、例えば、ＰＣ（ｐｅｒｓｏｎａｌ ｃｏｍｐｕｔｅｒ）であって、メモリに記憶された制御プログラムを読込んだＣＰＵによって監視処理が実行される。
【００３３】
図７は、ＤＬＵブロック２０の構成を示す図である。１つのＤＬＵブロック２０には、前述のように１６個のＤＬＵ３０が配列され、１６個のＤＬＵ３０にそれぞれ搭載された表示用ＬＥＤ４０および識別用ＬＥＤ５０を駆動する駆動回路としてＤＬＵ回路２５が設けられる。各ＤＬＵ回路２５は、映像制御部１１０に接続され制御される。
【００３４】
図８は、断線検知処理の手順を説明するフローチャートである。監視装置１２０は、映像制御部１１０に断線検知命令を通知する（ステップＳ１０）。監視装置１２０は、担当者からの指示を受けてあるいは定期的なタイマーによって、断線検知命令を映像制御部１１０に通知する。
【００３５】
映像制御部１１０は、断線検知処理を行う（ステップＳ１２）。映像制御部１１０は、映像表示盤１０の各ＤＬＵ回路２５から表示用ＬＥＤ４０の駆動電流値を取得して、断線している表示用ＬＥＤ４０を検知する。いずれか表示用ＬＥＤ４０で断線が発生すると、対応するＤＬＵ回路２５のＬＥＤ素子駆動電流が所定値以下になるからである。映像制御部１１０は、ＤＬＵ回路２５を制御して全表示用ＬＥＤ４０を駆動して、素子にそれぞれ流れる駆動電流が所定値以下となった表示用ＬＥＤ４０の番号を記憶する。映像制御部１１０は、全てのＤＬＵブロック２０について、これを行う。
【００３６】
映像制御部１１０は、映像表示盤１０の全てＤＬＵブロック２０を検査し、断線した表示用ＬＥＤ４０の有無を判断する（ステップＳ１４）。映像制御部１１０は、断線した表示用ＬＥＤ４０が無いと判断すると（ステップＳ１４ＮＯ）、正常状態であることを監視装置１２０に通知する（ステップＳ１６）。監視装置１２０は、断線検知処理を終了する。
【００３７】
映像制御部１１０は、断線した表示用ＬＥＤ４０が有ると判断すると（ステップＳ１４ＹＥＳ）、断線表示素子の箇所や発見日時を含む断線情報を監視装置１２０に通知する（ステップＳ１８）。
【００３８】
監視装置１２０は、映像制御部１１０からの断線情報の通知を受けたら、過去の断線情報の確認処理を行う（ステップＳ２０）。監視装置１２０は、断線情報の通知を受けた場合には、断線表示素子の箇所と発見された日時等を内蔵されたメモリに記憶させる。そして、監視装置１２０は、今回の断線箇所の識別表示のために、メモリに記憶された過去の断線発生状況の確認処理を行う。
【００３９】
監視装置１２０は、断線した表示用ＬＥＤ４０に対応する識別用ＬＥＤ５０の点灯あるいは点滅を指示する（ステップＳ２２）。監視装置１２０は、ステップＳ２０で確認した過去の断線発生状況から、対応するＤＬＵ３０の識別用ＬＥＤ５０の搭載有無を判断して、指示の仕方を決める。
【００４０】
監視装置１２０は、断線した表示用ＬＥＤ４０を有するＤＬＵ３０の背面３０ｒに、断線した表示用ＬＥＤ４０の発光色と同色の識別用ＬＥＤ５０が搭載されている場合には、その同色の識別用ＬＥＤ５０を点灯するよう映像制御部１１０に指示する。他の指示例については、後述する。映像制御部１１０は、監視装置１２０からの指示により、対応するＤＬＵブロック２０のＤＬＵ回路２５を制御して識別用ＬＥＤ５０を発光させる。
また、監視装置１２０は、映像制御部１１０から通知された断線情報を画面に表示する。あわせて、監視装置１２０は、メモリから故障状況データ、代替箇所のデータ、新品在庫のデータ等の、保守に必要なデータを読出して表示する。保守員は、表示された断線情報等に基づき、故障への対応を行う。
【００４１】
断線したＤＬＵ３０の交換作業が、保守員により行われる（ステップＳ２４）。保守員は、映像システム１の表示休止中に映像表示盤１０の裏側に入り、識別用ＬＥＤ５０の発光を目印に表示用ＬＥＤ４０の断線したＤＬＵ３０を探す。保守員は、断線したＤＬＵ３０をＤＬＵブロック２０から外し、交換用ＤＬＵ３０が有る場合には、これを代わりに取付ける。保守員は、交換用ＤＬＵ３０が無い場合には、断線したＤＬＵ３０を外して、修理後に再度取付ける。
【００４２】
図９は、修理されて識別用ＬＥＤ５０が外された状態のＤＬＵ３０を示す図である。図９（Ａ）は、ＤＬＵブロック２０のＤＬＵ３０の背面図である。図９（Ｂ）は、ＤＬＵ３０の１本の端部を拡大した図で、識別用赤ＬＥＤ５０Ｒ、識別用緑ＬＥＤ５０Ｇ及び識別用青ＬＥＤ５０Ｂの識別用ＬＥＤ５０が揃った、修理前の状態のＤＬＵ３０である。図９（Ｃ）は，赤の表示用ＬＥＤ４０が断線し、代わりに識別用赤ＬＥＤ５０Ｒが外されて表示用ＬＥＤ４０として取付けられて、識別用赤ＬＥＤ５０Ｒの箇所がブランクになった状態のＤＬＵ３０である。
【００４３】
なお、ＬＥＤは経年変化により輝度が低下するため、ＤＬＵ３０の運用時間によっては、交換した識別用ＬＥＤ５０の輝度が周囲よりも高くなってしまう場合もある。このような場合には、識別用ＬＥＤ５０に交換する際にＤＬＵ回路２５で輝度の調整が行われる。
【００４４】
図１０は、映像制御部１１０により指示される識別用ＬＥＤ５０の他の点灯例である。
図１０（Ａ）は、ＤＬＵ３０が、識別用赤ＬＥＤ５０Ｒが既に修理用に使用されて搭載されていない場合である。このようなＤＬＵ３０で、再度、赤の表示用ＬＥＤ４０で断線した場合には、映像制御部１１０は、識別用赤ＬＥＤ５０Ｒを点灯させることができないので、識別用緑ＬＥＤ５０Ｇと識別用青ＬＥＤ５０Ｂを点滅させるようＤＬＵ回路２５を制御する。なお、識別用緑ＬＥＤ５０Ｇと識別用青ＬＥＤ５０Ｂのいずれか一方だけを点滅させるようにしてもよいし、識別用緑ＬＥＤ５０Ｇと識別用青ＬＥＤ５０Ｂの両方を点灯させるようにしてもよい。
【００４５】
つまり、ＤＬＵ３０の背面３０ｒに、断線した表示用ＬＥＤ４０の発光色と同色の識別用ＬＥＤ５０が搭載されていない場合には、映像制御部１１０は、異なる色の識別用ＬＥＤ５０を特定のパターンで発光（点滅、点灯）させるようにＤＬＵ回路２５を制御する。
【００４６】
また、識別用ＬＥＤ５０が全て修理用に使用され、識別用ＬＥＤ５０が搭載されていない場合には、予め定めたルールで、付近に位置するＤＬＵ３０の識別用ＬＥＤを発光させる。このようにすれば、断線しているＤＬＵ３０自体の識別用ＬＥＤ５０を発光させることができなくても、保守員は断線したＤＬＵ３０の場所を特定することができる。図１０（Ｂ）に一例を示す。
【００４７】
図１０（Ｂ）に示すＤＬＵ３０ａは、断線したＤＬＵ３０ａの左右に配置されている正常なＤＬＵ３０ｂの識別用ＬＥＤの両方を点灯させることで、ＤＬＵ３０ａを識別させる例である。ＤＬＵ３０ａで断線した表示用ＬＥＤ４０が赤の場合には、左右のＤＬＵ３０ｂの識別用赤ＬＥＤ５０Ｒの両方を点灯させる。また、断線のＤＬＵ３０が端に位置するものであれば、断線のＤＬＵ３０の隣のＤＬＵ３０とさらに隣のＤＬＵ３０の識別用ＬＥＤの両方を点灯させるようにして、端のＤＬＵ３０が断線していることを示すようにしてもよい。
【００４８】
以上説明した実施形態によれば、少なくとも以下の効果を奏す。ＬＥＤユニットの表示面以外の部分に識別用のＬＥＤ素子を取付けたので、画像表示の邪魔にならずに、断線したＬＥＤユニットを探す時間の短縮化が実現され、交換間違えも確実に防止できる。また、識別用ＬＥＤ素子をＬＥＤユニットの裏側に取付けることで、保守員が大型表示盤に裏に入って交換するＬＥＤユニットを探す場合により探しやすい。
【００４９】
また、裏側のＬＥＤ素子の色を表示用ＬＥＤ素子と同じ色にし、断線した色と同色のＬＥＤを発光させるようにしたので、断線したＬＥＤユニットの識別がより容易になる。
【００５０】
さらに、背面のＬＥＤ素子として、表示用ＬＥＤ素子と同一ロットのＬＥＤを取付けておくことで、修理時の部品として裏側のＬＥＤ素子を使用することができ、修理後にロットの違いによる色むらが発生することを防止することができる。
【００５１】
また、上記実施形態では、表示用ＬＥＤの発光色に対応する色の識別用ＬＥＤを搭載することを説明したが、識別用ＬＥＤを修理用部品として使用しないのであれば、識別用ＬＥＤは１つのみでもよく、また種類や色も表示用ＬＥＤと異なっていてもよい。
【００５２】
また、ＬＥＤユニットをラインタイプで説明したが、ＬＥＤユニットはマトリクスタイプであってもよい。識別用ＬＥＤをＬＥＤユニットの裏面に搭載することを説明したが、
識別用ＬＥＤの搭載位置は、表示用ＬＥＤによる表示面以外であればよく、例えば、ＬＥＤユニットの左右側面でもよい。赤緑青の識別用ＬＥＤをＬＥＤユニットの同じ面ではなく、異なる面に分散して搭載するようにしてもよい。
【００５３】
また、識別用ＬＥＤを故障表示時のみ点灯するのではなく、通常時も表示用ＬＥＤ４０同様に点灯させるようにしてもよい。これにより、識別用ＬＥＤも表示用ＬＥＤ４０と同様に輝度の低下が発生し、交換した場合の輝度の差異をより少なくすることができる。
【００５４】
また、映像制御部１１０及び監視装置１２０は、プログラムを読込んだＣＰＵにより実行されるソフトウェア処理として説明したが、これに限るものではなく、一部または全部をハードウェアにより実現するものであってもよい。
【００５５】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５６】
１      映像システム
５      映像表示装置
１０    映像表示盤
２０    ＤＬＵブロック
２５    ＤＬＵ回路
３０    ＤＬＵ
３５    画素
４０    表示用ＬＥＤ
５０    識別用ＬＥＤ
５０Ｒ  識別用赤ＬＥＤ
５０Ｇ  識別用緑ＬＥＤ
５０Ｂ  識別用青ＬＥＤ
１００  映像出力機器
１１０  映像制御部
１２０  監視装置
【図７】
2015161684.tif 000003
【図８】
2015161684.tif 000004
【図１】
2015161684.tif 000005
【図２】
2015161684.tif 000006
【図３】
2015161684.tif 000007
【図４】
2015161684.tif 000008
【図５】
2015161684.tif 000009
【図６】
2015161684.tif 000010
【図９】
2015161684.tif 000011
【図１０】
2015161684.tif 000012